(57)【要約】  鍋を載置するトッププレート（２）と、トッププレート２の下に設けられ鍋を加熱する誘導加熱コイル９を含むインバータ（１０）と、鍋の底から放射される赤外線を検知して鍋底温度に対応する出力電圧値を出力する赤外線センサ（１３）と、前記出力電圧値に基づき、鍋底に調理物が焦げ付いたことを検知する焦げ付き検知動作を行い、鍋底に調理物が焦げ付いたことを検知すると焦げ付き情報を出力する焦げ付き検知部（１４）と、複数の出力設定値の中から１つの出力設定値を選択するための出力設定部（１２）と、誘導加熱コイル９に高周波電流を供給しかつ加熱出力が出力設定値となるようにインバータ（１０）の加熱動作を制御する制御部（１１）とを備え、出力設定範囲に対応した焦げ付き検知動作を行う。
2011096213.tif 000002
【特許請求の範囲】
【請求項１】
鍋を載置するトッププレートと、
前記トッププレートの下に設けられ前記鍋を加熱する誘導加熱コイルを含むインバータと、
前記トッププレートの下に設けられ、前記鍋の底から放射されて前記トッププレートを透過した赤外線を検知して前記鍋の鍋底温度に対応する出力電圧値を出力する赤外線センサと、
前記赤外線センサからの出力電圧値に基づき、前記鍋底に調理物が焦げ付いたことを検知する焦げ付き検知動作を行い、前記鍋底に前記調理物が焦げ付いたことを検知すると焦げ付き情報を出力する焦げ付き検知部と、
複数の出力設定値の中から１つの出力設定値を選択するための出力設定部と、
前記誘導加熱コイルに高周波電流を供給しかつ加熱出力が前記出力設定値となるように前記インバータの加熱動作を制御すると共に前記出力設定部により前記出力設定値が変更可能な制御モードである加熱モード及び加熱を停止し加熱開始キーを操作すると前記加熱モードに移行する制御モードである待機モードを有し、前記加熱モードで動作中に前記焦げ付き情報が出力されると前記待機モードに移行する制御部とを備えた誘導加熱調理機器であって、
前記制御部は、前記出力設定部により所定の第１出力設定範囲内の出力が選択されるときに、前記加熱モードで動作するように制御し、前記焦げ付き検知部は、前記赤外線センサからの出力電圧値が所定の第１出力電圧値以上に増加したことを検知するときに、前記鍋底に前記調理物が焦げ付いたことを検知する前記焦げ付き検知動作を行い、
また、前記制御部は、前記出力設定部により前記第１出力設定範囲より大きい第２出力設定範囲内の出力が選択されるときに、前記加熱モードで動作するように制御し、前記焦げ付き検知部は、前記赤外線センサからの出力電圧値が前記第１出力電圧値より大きい所定の第２出力電圧値以上に増加したことを検知するときに、前記鍋底に前記調理物が焦げ付いたことを検知する前記焦げ付き検知動作を行うことを特徴とする誘導加熱調理機器。
【請求項２】
前記制御部は、前記出力設定部により前記第２出力設定範囲より大きい第３出力設定範囲内の出力が選択されるときに、前記加熱モードで動作するように制御し、前記焦げ付き検知部は、前記鍋底に調理物が焦げ付いたことを前記検知する焦げ付き検知動作を禁止するように制御することを特徴とする請求項１に記載の誘導加熱調理機器。
【請求項３】
鍋を載置するトッププレートと、
前記トッププレートの下に設けられ前記鍋を加熱する誘導加熱コイルを含むインバータと、
前記トッププレートの下に設けられ、前記鍋の底から放射されて前記トッププレートを透過した赤外線を検知して前記鍋の鍋底温度に対応する出力電圧値を出力する赤外線センサと、
前記赤外線センサからの出力電圧値に基づき、前記鍋底に調理物が焦げ付いたことを検知する焦げ付き検知動作を行い、前記鍋底に前記調理物が焦げ付いたことを検知すると焦げ付き情報を出力する焦げ付き検知部と、
複数の出力設定値の中から１つの出力設定値を選択するための出力設定部と、
前記誘導加熱コイルに高周波電流を供給しかつ加熱出力が前記出力設定値となるように前記インバータの加熱動作を制御すると共に前記出力設定部により前記出力設定値が変更可能な制御モードである加熱モード及び加熱を停止し加熱開始キーを操作すると前記加熱モードに移行する制御モードである待機モードを有し、前記加熱モードで動作中に前記焦げ付き情報が出力されると前記待機モードに移行する制御部とを備えた誘導加熱調理機器の制御方法であって、
前記制御部は、前記出力設定部により所定の第１出力設定範囲内の出力が選択されるときに、前記加熱モードで動作するように制御し、前記焦げ付き検知部は、前記赤外線センサからの出力電圧値が所定の第１出力電圧値以上に増加したことを検知するときに、前記鍋底に前記調理物が焦げ付いたことを検知する前記焦げ付き検知動作を行うステップと、
前記制御部は、前記出力設定部により前記第１出力設定範囲より大きい第２出力設定範囲内の出力が選択されるときに、前記加熱モードで動作するように制御し、前記焦げ付き検知部は、前記赤外線センサからの出力電圧値が前記第１出力電圧値より大きい所定の第２出力電圧値以上に増加したことを検知するときに、前記鍋底に前記調理物が焦げ付いたことを検知する前記焦げ付き検知動作を行うステップとを含むことを特徴とする誘導加熱調理機器の制御方法。
【請求項４】
前記制御部は、前記出力設定部により前記第２出力設定範囲より大きい第３出力設定範囲内の出力が選択されるときに、前記加熱モードで動作するように制御し、前記焦げ付き検知部は、前記鍋底に調理物が焦げ付いたことを前記検知する焦げ付き検知動作を禁止するように制御するステップをさらに含むことを特徴とする請求項３に記載の誘導加熱調理機器の制御方法。
【発明の詳細な説明】
【技術分野】
【０００１】
本発明は一般家庭やレストラン及びオフィスなどで使用される焦げ付き検知を備えた誘導加熱調理機器およびその制御方法に関するものであり、特に、出力設定範囲に対応した焦げ付き検知動作を行う誘導加熱調理機器およびその制御方法に関するものである。
【背景技術】
【０００２】
従来、この種の加熱調理機器は、特定の調理モード時、例えば煮込み料理などにおいて、鍋底の温度を検知するセンサと、前記センサの温度上昇から、前記鍋底に調理物が焦げ付いたと検知する構成となっている（例えば、特許文献１参照）。
【先行技術文献】
【特許文献】
【０００３】
【特許文献１】特開平１０−１４９８７５号公報
【発明の概要】
【発明が解決しようとする課題】
【０００４】
しかしながら、前記従来の構成では、焦げ付き検知を行える調理モードが限定されており、それらは特に煮込みに限られたものである。利用者は、焦げ付き検知を使用するときには、煮込み機能を選択しなくてはならないという課題を有していた。【０００５】
本発明の目的は、前記従来の課題を解決するもので、利用者が、特定の調理モードを選択することなく、出力設定を選択して調理をおこなう加熱モードで通常の加熱調理を行っても、焦げ付き検知が働くことができる誘導加熱調理機器およびその制御方法を提供することにある。
【課題を解決するための手段】
【０００６】
前記従来の課題を解決するために、本発明にかかる誘導加熱調理機器は、鍋を載置するトッププレートと、前記トッププレートの下に設けられ前記鍋を加熱する誘導加熱コイルを含むインバータと、前記トッププレートの下に設けられ、前記鍋の底から放射されて前記トッププレートを透過した赤外線を検知して前記鍋の鍋底温度に対応する出力電圧値を出力する赤外線センサと、前記赤外線センサからの出力電圧値に基づき、前記鍋底に調理物が焦げ付いたことを検知する焦げ付き検知動作を行い、前記鍋底に前記調理物が焦げ付いたことを検知すると焦げ付き情報を出力する焦げ付き検知部と、複数の出力設定値の中から、１つの前記出力設定値を選択するための出力設定部と、前記誘導加熱コイルに高周波電流を供給しかつ加熱出力が前記出力設定値となるように前記インバータの加熱動作を制御すると共に前記出力設定部により前記出力設定値が変更可能な制御モードである加熱モード及び加熱を停止し加熱開始キーを操作すると前記加熱モードに移行する制御モードである待機モードを有し、前記加熱モードで動作中に前記焦げ付き情報が出力されると前記待機モードに移行する制御部とを備えた誘導加熱調理機器であって、前記制御部は、前記出力設定部により所定の第１出力設定範囲内の出力が選択されるときに、前記加熱モードで動作するように制御し、前記焦げ付き検知部は、前記赤外線センサからの出力電圧値が所定の第１出力電圧値以上に増加したことを検知するときに、前記鍋底に前記調理物が焦げ付いたことを検知する前記焦げ付き検知動作を行い、また、前記制御部は、前記出力設定部により前記第１出力設定範囲より大きい第２出力設定範囲内の出力が選択されるときに、前記加熱モードで動作するように制御し、前記焦げ付き検知部は、前記赤外線センサからの出力電圧値が前記第１出力電圧値より大きい所定の第２出力電圧値以上に増加したことを検知するときに、前記鍋底に前記調理物が焦げ付いたことを検知する前記焦げ付き検知動作を行うことを特徴とする。【０００７】
また、別の本発明にかかる誘導加熱調理機器の制御方法は、
鍋を載置するトッププレートと、
前記トッププレートの下に設けられ前記鍋を加熱する誘導加熱コイルを含むインバータと、
前記トッププレートの下に設けられ、前記鍋の底から放射されて前記トッププレートを透過した赤外線を検知して前記鍋の鍋底温度に対応する出力電圧値を出力する赤外線センサと、
前記赤外線センサからの出力電圧値に基づき、前記鍋底に調理物が焦げ付いたことを検知する焦げ付き検知動作を行い、前記鍋底に前記調理物が焦げ付いたことを検知すると焦げ付き情報を出力する焦げ付き検知部と、
複数の出力設定値の中から１つの出力設定値を選択するための出力設定部と、
前記誘導加熱コイルに高周波電流を供給しかつ加熱出力が前記出力設定値となるように前記インバータの加熱動作を制御すると共に前記出力設定部により前記出力設定値が変更可能な制御モードである加熱モード及び加熱を停止し加熱開始キーを操作すると前記加熱モードに移行する制御モードである待機モードを有し、前記加熱モードで動作中に前記焦げ付き情報が出力されると前記待機モードに移行する制御部とを備えた誘導加熱調理機器の制御方法であって、
前記制御部は、前記出力設定部により所定の第１出力設定範囲内の出力が選択されるときに、前記加熱モードで動作するように制御し、前記焦げ付き検知部は、前記赤外線センサからの出力電圧値が所定の第１出力電圧値以上に増加したことを検知するときに、前記鍋底に前記調理物が焦げ付いたことを検知する前記焦げ付き検知動作を行うステップと、
前記制御部は、前記出力設定部により前記第１出力設定範囲より大きい第２出力設定範囲内の出力が選択されるときに、前記加熱モードで動作するように制御し、前記焦げ付き検知部は、前記赤外線センサからの出力電圧値が前記第１出力電圧値より大きい所定の第２出力電圧値以上に増加したことを検知するときに、前記鍋底に前記調理物が焦げ付いたことを検知する前記焦げ付き検知動作を行うステップとを含むことを特徴とする。
【発明の効果】
【０００８】
従って、本発明にかかる誘導加熱調理機器およびその制御方法によれば、赤外線センサを用いて焦げ付き検知動作を行うことにより、誤検知が起きる機会を減らしつつ焦げ付き検知機能を感度良く働かせ、焦げ付きの状態が悪化するのを防止すると共に不必要に加熱を停止することを防止し、違和感なく調理を継続することができる。【０００９】
また、本発明にかかる誘導加熱調理機器およびその制御方法は、使用者が設定した出力設定値に適した焦げ付きの検知する温度を自動で判別するため、利用者が、調理モードを選択することなく、焦げ付き検知機能を使用することができる。
【図面の簡単な説明】
【００１０】
【図１】本発明の実施の形態１にかかる誘導加熱調理機器の構成を示す斜視図である。
【図２】本発明の実施の形態１にかかる誘導加熱調理機器の第１の加熱部４の構成を示すブロック図である。
【図３】本発明の実施の形態１にかかる誘導加熱調理機器のフローチャートである。
【図４】本発明の実施の形態２にかかる誘導加熱調理機器のフローチャートである。
【発明を実施するための形態】
【００１１】
第１の発明にかかる誘導加熱調理機器は、鍋を載置するトッププレートと、前記トッププレートの下に設けられ前記鍋を加熱する誘導加熱コイルを含むインバータと、前記トッププレートの下に設けられ、前記鍋の底から放射されて前記トッププレートを透過した赤外線を検知して前記鍋の鍋底温度に対応する出力電圧値を出力する赤外線センサと、前記赤外線センサからの出力電圧値に基づき、前記鍋底に調理物が焦げ付いたことを検知する焦げ付き検知動作を行い、前記鍋底に前記調理物が焦げ付いたことを検知すると焦げ付き情報を出力する焦げ付き検知部と、複数の出力設定値の中から、１つの前記出力設定値を選択するための出力設定部と、前記誘導加熱コイルに高周波電流を供給しかつ加熱出力が前記出力設定値となるように前記インバータの加熱動作を制御すると共に前記出力設定部により前記出力設定値が変更可能な制御モードである加熱モード及び加熱を停止し加熱開始キーを操作すると前記加熱モードに移行する制御モードである待機モードを有し、前記加熱モードで動作中に前記焦げ付き情報が出力されると前記待機モードに移行する制御部とを備えた誘導加熱調理機器であって、前記制御部は、前記出力設定部により所定の第１出力設定範囲内の出力が選択されるときに、前記加熱モードで動作するように制御し、前記焦げ付き検知部は、前記赤外線センサからの出力電圧値が所定の第１出力電圧値以上に増加したことを検知するときに、前記鍋底に前記調理物が焦げ付いたことを検知する前記焦げ付き検知動作を行い、また、前記制御部は、前記出力設定部により前記第１出力設定範囲より大きい第２出力設定範囲内の出力が選択されるときに、前記加熱モードで動作するように制御し、前記焦げ付き検知部は、前記赤外線センサからの出力電圧値が前記第１出力電圧値より大きい所定の第２出力電圧値以上に増加したことを検知するときに、前記鍋底に前記調理物が焦げ付いたことを検知する前記焦げ付き検知動作を行う。これにより、赤外線センサを用いて焦げ付き検知動作を行うことにより、誤検知が起きる機会を減らしつつ焦げ付き検知機能を感度良く働かせ、焦げ付きの状態が悪化するのを防止すると共に不必要に加熱を停止することを防止し、違和感なく調理を継続することができる。また、出力設定範囲に対応した焦げ付き検知動作を行うことで、利用者が設定した出力設定値に適した焦げ付きの検知する温度を自動で判別するため、利用者が、調理モードを選択することなく、焦げ付き検知機能を使用することができる。
【００１２】
第２の発明にかかる誘導加熱調理機器は、特に、第１の発明にかかる誘導加熱調理機器において、前記制御部は、前記出力設定部により前記第２出力設定範囲より大きい第３出力設定範囲内の出力が選択されるときに、前記加熱モードで動作するように制御し、前記焦げ付き検知部は、前記鍋底に調理物が焦げ付いたことを検知する焦げ付き検知動作を禁止するように制御する。これにより、炒め物やあえて焦げをつけたい加熱調理などの高出力調理時に、不必要に加熱動作を停止するなどの誤検知を避けることができ、利用者が、違和感なく調理を継続することができる。
【００１３】
第３の発明にかかる誘導加熱調理機器の制御方法は、
鍋を載置するトッププレートと、
前記トッププレートの下に設けられ前記鍋を加熱する誘導加熱コイルを含むインバータと、
前記トッププレートの下に設けられ前記鍋の底から放射され前記トッププレートを透過する赤外線を検知して前記鍋の鍋底温度に対応する出力電圧値を出力する赤外線センサと、
前記赤外線センサからの出力電圧値に基づき、前記鍋底に調理物が焦げ付いたことを検知する焦げ付き検知動作を行い、前記鍋底に前記調理物が焦げ付いたことを検知すると焦げ付き情報を出力する焦げ付き検知部と、
複数の出力設定値の中から１つの出力設定値を選択するための出力設定部と、
前記誘導加熱コイルに高周波電流を供給しかつ加熱出力が前記出力設定値となるように前記インバータの加熱動作を制御すると共に前記出力設定部により前記出力設定値が変更可能な制御モードである加熱モード及び加熱を停止し加熱開始キーを操作すると前記加熱モードに移行する制御モードである待機モードを有し、前記加熱モードで動作中に前記焦げ付き情報が出力されると前記待機モードに移行する制御部とを備えた誘導加熱調理機器の制御方法であって、
前記制御部は、前記出力設定部により所定の第１出力設定範囲内の出力が選択されるときに、前記加熱モードで動作するように制御し、前記焦げ付き検知部は、前記赤外線センサからの出力電圧値が所定の第１出力電圧値以上に増加したことを検知するときに、前記鍋底に前記調理物が焦げ付いたことを検知する前記焦げ付き検知動作を行うステップと、
前記制御部は、前記出力設定部により前記第１出力設定範囲より大きい第２出力設定範囲内の出力が選択されるときに、前記加熱モードで動作するように制御し、前記焦げ付き検知部は、前記赤外線センサからの出力電圧値が前記第１出力電圧値より大きい所定の第２出力電圧値以上に増加したことを検知するときに、前記鍋底に前記調理物が焦げ付いたことを検知する前記焦げ付き検知動作を行うステップとを含む。
【００１４】
第４の発明にかかる誘導加熱調理機器の制御方法は、特に、第３の発明にかかる誘導加熱調理機器の制御方法において、前記制御部は、前記出力設定部により前記第２出力設定範囲より大きい第３出力設定範囲内の出力が選択されるときに、前記加熱モードで動作するように制御し、前記焦げ付き検知部は、前記鍋底に調理物が焦げ付いたことを前記検知する焦げ付き検知動作を禁止するように制御するステップをさらに含む。
【００１５】
以下、本発明にかかる実施の形態について、図面を参照しながら説明する。なお、この実施の形態によって本発明が限定されるものではない。
【００１６】
（実施の形態１）
図１は、本発明の実施の形態１にかかる誘導加熱調理機器の構成を示す斜視図である。
【００１７】
図１において、外郭ケース１の上部にトッププレート２が設けられている。トッププレート２上面には誘導加熱により鍋などの調理容器３を加熱する第１の加熱部４、第２の加熱部５および第３の加熱部６をそれぞれ示す表示が設けられている。さらに、魚等を焼くロースター７、および熱源の操作をする操作部８が外郭ケース１の側面に設けられている。
【００１８】
以上のように構成された誘導加熱調理機器について、図２を参照して、加熱部の構成を説明する。
【００１９】
図２は、本発明の実施の形態１にかかる誘導加熱調理機器の第１の加熱部４の構成を示すブロック図である。
【００２０】
図２において、トッププレート２の上面に設けられた第１の加熱部４を示す表示の位置に合わせて調理容器３が載置される。トッププレート２の下方には誘導加熱コイル９が設けられている。さらに、誘導加熱コイル９の下方には誘導加熱コイル９を制御するインバータ１０とインバータ１０を動作させるための制御部１１が設けられている。
【００２１】
出力設定部１２により、出力設定値が設定されると、制御部１１は誘導加熱コイル９に高周波電流を供給し、かつ、加熱出力が出力設定値となるようにインバータ１０の加熱動作を制御する。
【００２２】
赤外線センサ１３は、トッププレート２の下に設けられ、調理容器３の鍋底から放射されトッププレート２を透過する赤外線を検知して、調理容器３の鍋底温度に対応する出力電圧値を出力する。調理容器３の鍋底に調理物が焦げ付いたことを検知すると焦げ付き情報を出力する焦げ付き検知部１４と、複数の出力設定値の中から、１つの出力設定値を選択するための出力設定部１２と、誘導加熱コイル９に高周波電流を供給し、かつ、加熱出力が出力設定値となるようにインバータ１０の加熱動作を制御すると共に、出力設定部１２により出力設定値が変更可能な制御モードである加熱モード及び加熱を停止し加熱開始キーを操作すると加熱モードに移行する制御モードである待機モードを有し、加熱モードで動作中に焦げ付き情報が出力されると待機モードに移行する制御部１１とで構成している。
【００２３】
制御部１１は、出力設定部１２で、第１出力設定範囲内の出力が選択されて加熱モードで動作すると、焦げ付き検知部１４は、出力電圧値が第１出力電圧値Ｖ１以上に増加したことを検知すると、鍋底に調理物が焦げ付いたことを検知する焦げ付き検知動作を行う。
【００２４】
また、制御部１１は、出力設定部１２により所定の第１出力設定範囲より大きい第２出力設定範囲内の出力が選択されるときに、加熱モードで動作するように制御し、焦げ付き検知部１４は、出力電圧値Ｖが第１出力電圧値Ｖ１より大きい第２出力電圧値Ｖ２以上に増加したことを検知すると鍋底に調理物が焦げ付いたことを検知する焦げ付き検知動作を行う。
【００２５】
以上のように構成された誘導加熱調理機器について、図３を参照して、動作および作用について説明する。
【００２６】
図３は、本発明の実施の形態１にかかる誘導加熱調理器のフローチャートである。
【００２７】
まず、図３において、ステップ１（Ｓ１）にて、操作部８にある加熱開始キーをオンするとステップ２（Ｓ２）にて、加熱が開始される。
【００２８】
ステップ３（Ｓ３）にて、制御部１１は、出力設定部１２で設定された出力が、第１出力設定範囲内の設定出力であった場合、ステップ４（Ｓ４）に移行する。
【００２９】
ステップ４（Ｓ４）にて、制御部１１に出力された、赤外線センサ１３によって検知された調理容器３の鍋底温度が、予め設定された鍋底温度に対応する第１出力電圧値Ｖ１以上であった場合、ステップ５（Ｓ５）にて、焦げ付き検知部１４は、焦げ付き情報を制御部１１に出力する。次いで、制御部１１は、ステップ６（Ｓ６）にて焦げ付き情報に基づき、加熱停止を行う。
【００３０】
一方、ステップ３（Ｓ３）にて、出力設定部１２が第１出力設定範囲より大きい第２出力設定範囲の設定出力であった場合、ステップ７（Ｓ７）に移行する。
【００３１】
ステップ７（Ｓ７）にて、赤外線センサ１３によって検知されて制御部１１に出力された調理容器３の鍋底温度が、予め設定された鍋底温度に対応しかつ第１出力電圧値Ｖ１より大きい第２出力電圧値Ｖ２以上であった場合、ステップ８（Ｓ８）にて、焦げ付き検知部１４は、焦げ付き情報を制御部１１に出力する。
【００３２】
制御部１１は、ステップ９（Ｓ９）にて焦げ付き情報に基づき、加熱停止を行う。
【００３３】
例えば、出力設定部１２の第１出力設定範囲が３７０Ｗ相当の出力設定以下で、第２出力設定範囲が３７０Ｗ相当より大きい出力設定で、第１出力電圧値Ｖ１が赤外線センサ１３によって検知された調理容器３の鍋底温度が１３０℃に対応する出力電圧値で、第２出力電圧値Ｖ２が赤外線センサ１３によって検知された調理容器３の鍋底温度が１７０℃に対応する出力電圧値に、それぞれ設定したとする。そして、利用者が出力設定部１２で３７０Ｗ相当（第１出力設定範囲内）の出力を設定したとする。この場合には、焦げ付き情報を有効にし、その後調理容器３の鍋底温度が、１３０℃（第１出力電圧値Ｖ１）になると、ステップ５（Ｓ５）で焦げ付き情報を出力し、制御部１１は待機モードとなり加熱を停止して終了する。
【００３４】
一方、利用者が出力設定部１２で１０００Ｗ相当（第２出力設定範囲内）の出力を設定したとする。この場合には、焦げ付き情報を有効にし、その後調理容器３の鍋底温度が、１７０℃になると、焦げ付き情報を出力し、制御部１１は待機モードとなり加熱を停止して終了する。
【００３５】
以上のように、本実施の形態においては、赤外線センサを用いて焦げ付き検知動作を行い、かつ出力設定部１２にて設定された出力設定範囲に対応した焦げ付き検知を行うことにより、加熱モードにおいても、誤検知が起きる機会を減らしつつ焦げ付き検知機能を感度良く働かせ、焦げ付きの状態が悪化するのを防止すると共に不必要に加熱を停止することを防止し違和感なく調理を継続することができる。
【００３６】
また、本実施の形態の制御部１１と焦げ付き検知部１４はマイクロコンピュータで構成することにより、簡単な構成にすることができる。
【００３７】
（実施の形態２）
図４は、本発明の実施の形態２にかかる誘導加熱調理機器のフローチャートである。
【００３８】
図４のフローチャートは、図３のフローチャートに比較して、ステップ２０（Ｓ２０）およびステップ２１（Ｓ２１）をさらに備えたことを特徴としている。ここで、実施の形態１と同様の部分については説明を省略し、異なる部分について説明する。
【００３９】
まず、図４において、ステップ２０（Ｓ２０）にて、出力設定部１２が第２出力設定範囲より大きい第３出力設定範囲の設定出力であった場合、ステップ２１（Ｓ２１）に移行する。ステップ２１（Ｓ２１）にて、焦げ付き検知部１４からの焦げ付き情報に基づかず、出力制御を行う。すなわち、焦げ付き検知動作を禁止して行わない。そして、終了する（すなわち、加熱動作を継続する）。
【００４０】
例えば、出力設定部１２の第２出力設定範囲が３７０Ｗ相当の出力設定より大きくかつ２０００Ｗ相当の出力設定未満で、第３出力設定範囲が２０００Ｗ相当以上の出力設定とする。そして、利用者が、出力設定部１２で、２０００Ｗ相当（第３出力設定範囲内）の出力を設定したとする。この場合には、制御部１１は、炒め物や湯沸しなどの高出力調理を始めたと判定し、焦げ付き情報を無効にし、すなわち、焦げ付き情報に基づかず、加熱調理を継続する。
【００４１】
一方、利用者が、出力設定部６で、２０００Ｗ相当の出力未満を設定したとする。制御部１１は、利用者が、一般に焦げ付きが懸念される調理を始めたと判定し、焦げ付き情報と出力情報に基づき、調理を継続する。
【００４２】
以上のように、本実施の形態においては、出力設定部６にて設定された出力により、低出力調理時に焦げ付き情報を有効にし、かつ、高出力調理時に、無効にすることにより、焦げ付き検知の誤検知を避けることができ、利用者が、調理モードを選択しなくても違和感なく調理を継続することができる。
【産業上の利用可能性】
【００４３】
以上のように、本発明にかかる誘導加熱調理機器は、利用者が選択した出力設定範囲によって、焦げ付き検知が利用者にとって必要か不必要かを判別することにより、焦げ付き検知が不必要に働く機会を低減し、調理物の焦げ付きの状態が悪化するのを防止しつつ調理を行うことが可能となるので、組み込み式誘導加熱調理機器、卓上で使用される誘導加熱調理機器、据え置き式の誘導加熱調理機器などの使用形態、あるいは業務用、家庭用などの使用目的にかかわらずあらゆる種類の誘導加熱調理器全般の用途に有効である。
【符号の説明】
【００４４】
２  トッププレート
３  調理容器（鍋）
９  誘導加熱コイル
１０  インバータ
１１  制御部
１２  出力設定部
１３  赤外線センサ
１４  焦げ付き検知部
【図１】
2011096213.tif 000003
【図２】
2011096213.tif 000004
【図３】
2011096213.tif 000005
【図４】
2011096213.tif 000006
【手続補正書】
【提出日】平成23年12月2日(2011.12.2)
【手続補正１】
【補正対象書類名】特許請求の範囲
【補正対象項目名】全文
【補正方法】変更
【補正の内容】
【特許請求の範囲】
【請求項１】
鍋を載置するトッププレートと、
前記トッププレートの下に設けられ前記鍋を加熱する誘導加熱コイルを含むインバータと、
前記トッププレートの下に設けられ、前記鍋の底から放射されて前記トッププレートを透過した赤外線を検知して前記鍋の鍋底温度に対応する出力電圧値を出力する赤外線センサと、
前記赤外線センサからの出力電圧値に基づき、前記鍋底に調理物が焦げ付いたことを検知する焦げ付き検知動作を行い、前記鍋底に前記調理物が焦げ付いたことを検知すると焦げ付き情報を出力する焦げ付き検知部と、
複数の出力設定値の中から１つの出力設定値を選択するための出力設定部と、
前記誘導加熱コイルに高周波電流を供給しかつ加熱出力が前記出力設定値となるように前記インバータの加熱動作を制御すると共に前記出力設定部により前記出力設定値が変更可能な制御モードである加熱モード及び加熱を停止し加熱開始キーを操作すると前記加熱モードに移行する制御モードである待機モードを有し、前記加熱モードで動作中に前記焦げ付き情報が出力されると前記待機モードに移行する制御部とを備えた誘導加熱調理機器であって、
前記制御部は、前記出力設定部により所定の第１出力設定範囲内の出力が選択されるときに、前記加熱モードで動作するように制御し、
前記焦げ付き検知部は、前記赤外線センサからの出力電圧値が所定の第１出力電圧値以上に増加したことを検知するときに、前記鍋底に前記調理物が焦げ付いたことを検知する前記焦げ付き検知動作を行い、
また、前記制御部は、前記出力設定部により前記第１出力設定範囲より大きい第２出力設定範囲内の出力が選択されるときに、前記加熱モードで動作するように制御し、前記焦げ付き検知部は、前記赤外線センサからの出力電圧値が前記第１出力電圧値より大きい所定の第２出力電圧値以上に増加したことを検知するときに、前記鍋底に前記調理物が焦げ付いたことを検知する前記焦げ付き検知動作を行い、
さらに、前記制御部は、前記出力設定部により前記第２出力設定範囲より大きい第３出力設定範囲内の出力が選択されるときに、前記加熱モードで動作するように制御し、前記焦げ付き検知部は、前記鍋底に調理物が焦げ付いたことを前記検知する焦げ付き検知動作を禁止するように制御することを特徴とする誘導加熱調理機器。
【請求項２】
（削除）
【請求項３】
鍋を載置するトッププレートと、
前記トッププレートの下に設けられ前記鍋を加熱する誘導加熱コイルを含むインバータと、
前記トッププレートの下に設けられ、前記鍋の底から放射されて前記トッププレートを透過した赤外線を検知して前記鍋の鍋底温度に対応する出力電圧値を出力する赤外線センサと、
前記赤外線センサからの出力電圧値に基づき、前記鍋底に調理物が焦げ付いたことを検知する焦げ付き検知動作を行い、前記鍋底に前記調理物が焦げ付いたことを検知すると焦げ付き情報を出力する焦げ付き検知部と、
複数の出力設定値の中から１つの出力設定値を選択するための出力設定部と、
前記誘導加熱コイルに高周波電流を供給しかつ加熱出力が前記出力設定値となるように前記インバータの加熱動作を制御すると共に前記出力設定部により前記出力設定値が変更可能な制御モードである加熱モード及び加熱を停止し加熱開始キーを操作すると前記加熱モードに移行する制御モードである待機モードを有し、前記加熱モードで動作中に前記焦げ付き情報が出力されると前記待機モードに移行する制御部とを備えた誘導加熱調理機器の制御方法であって、
前記制御部は、前記出力設定部により所定の第１出力設定範囲内の出力が選択されるときに、前記加熱モードで動作するように制御し、前記焦げ付き検知部は、前記赤外線センサからの出力電圧値が所定の第１出力電圧値以上に増加したことを検知するときに、前記鍋底に前記調理物が焦げ付いたことを検知する前記焦げ付き検知動作を行うステップと、
前記制御部は、前記出力設定部により前記第１出力設定範囲より大きい第２出力設定範囲内の出力が選択されるときに、前記加熱モードで動作するように制御し、前記焦げ付き検知部は、前記赤外線センサからの出力電圧値が前記第１出力電圧値より大きい所定の第２出力電圧値以上に増加したことを検知するときに、前記鍋底に前記調理物が焦げ付いたことを検知する前記焦げ付き検知動作を行うステップと、
前記制御部は、前記出力設定部により前記第２出力設定範囲より大きい第３出力設定範囲内の出力が選択されるときに、前記加熱モードで動作するように制御し、前記焦げ付き検知部は、前記鍋底に調理物が焦げ付いたことを前記検知する焦げ付き検知動作を禁止するように制御するステップとを含むことを特徴とする誘導加熱調理機器の制御方法。
【手続補正書】
【提出日】平成24年7月4日(2012.7.4)
【手続補正１】
【補正対象書類名】明細書
【補正対象項目名】全文
【補正方法】変更
【補正の内容】
【発明の詳細な説明】
【技術分野】
【０００１】
本発明は一般家庭やレストラン及びオフィスなどで使用される焦げ付き検知を備えた誘導加熱調理機器およびその制御方法に関するものであり、特に、出力設定範囲に対応した焦げ付き検知動作を行う誘導加熱調理機器およびその制御方法に関するものである。
【背景技術】
【０００２】
従来、この種の加熱調理機器は、特定の調理モード時、例えば煮込み料理などにおいて、鍋底の温度を検知するセンサと、前記センサの温度上昇から、前記鍋底に調理物が焦げ付いたと検知する構成となっている（例えば、特許文献１参照）。
【先行技術文献】
【特許文献】
【０００３】
【特許文献１】特開平１０−１４９８７５号公報
【発明の概要】
【発明が解決しようとする課題】
【０００４】
しかしながら、前記従来の構成では、焦げ付き検知を行える調理モードが限定されており、それらは特に煮込みに限られたものである。利用者は、焦げ付き検知を使用するときには、煮込み機能を選択しなくてはならないという課題を有していた。
【０００５】
本発明の目的は、前記従来の課題を解決するもので、利用者が、特定の調理モードを選択することなく、出力設定を選択して調理をおこなう加熱モードで通常の加熱調理を行っても、焦げ付き検知が働くことができる誘導加熱調理機器およびその制御方法を提供することにある。
【課題を解決するための手段】
【０００６】
前記従来の課題を解決するために、本発明にかかる誘導加熱調理機器は、鍋を載置するトッププレートと、前記トッププレートの下に設けられ前記鍋を加熱する誘導加熱コイルを含むインバータと、前記トッププレートの下に設けられ、前記鍋の底から放射されて前記トッププレートを透過した赤外線を検知して前記鍋の鍋底温度に対応する出力電圧値を出力する赤外線センサと、前記赤外線センサからの出力電圧値に基づき、前記鍋底に調理物が焦げ付いたことを検知する焦げ付き検知動作を行い、前記鍋底に前記調理物が焦げ付いたことを検知すると焦げ付き情報を出力する焦げ付き検知部と、複数の出力設定値の中から、１つの前記出力設定値を選択するための出力設定部と、前記誘導加熱コイルに高周波電流を供給しかつ加熱出力が前記出力設定値となるように前記インバータの加熱動作を制御すると共に前記出力設定部により前記出力設定値が変更可能な制御モードである加熱モード及び加熱を停止し加熱開始キーを操作すると前記加熱モードに移行する制御モードである待機モードを有し、前記加熱モードで動作中に前記焦げ付き情報が出力されると前記待機モードに移行する制御部とを備えた誘導加熱調理機器であって、前記制御部は、前記出力設定部により所定の第１出力設定範囲内の出力が選択されるときに、前記加熱モードで動作するように制御し、前記焦げ付き検知部は、前記赤外線センサからの出力電圧値が所定の第１出力電圧値以上に増加したことを検知するときに、前記鍋底に前記調理物が焦げ付いたことを検知する前記焦げ付き検知動作を行い、また、前記制御部は、前記出力設定部により前記第１出力設定範囲より大きい第２出力設定範囲内の出力が選択されるときに、前記加熱モードで動作するように制御し、前記焦げ付き検知部は、前記赤外線センサからの出力電圧値が前記第１出力電圧値より大きい所定の第２出力電圧値以上に増加したことを検知するときに、前記鍋底に前記調理物が焦げ付いたことを検知する前記焦げ付き検知動作を行うことを特徴とする。
【０００７】
また、別の本発明にかかる誘導加熱調理機器の制御方法は、
鍋を載置するトッププレートと、
前記トッププレートの下に設けられ前記鍋を加熱する誘導加熱コイルを含むインバータと、
前記トッププレートの下に設けられ、前記鍋の底から放射されて前記トッププレートを透過した赤外線を検知して前記鍋の鍋底温度に対応する出力電圧値を出力する赤外線センサと、
前記赤外線センサからの出力電圧値に基づき、前記鍋底に調理物が焦げ付いたことを検知する焦げ付き検知動作を行い、前記鍋底に前記調理物が焦げ付いたことを検知すると焦げ付き情報を出力する焦げ付き検知部と、
複数の出力設定値の中から１つの出力設定値を選択するための出力設定部と、
前記誘導加熱コイルに高周波電流を供給しかつ加熱出力が前記出力設定値となるように前記インバータの加熱動作を制御すると共に前記出力設定部により前記出力設定値が変更可能な制御モードである加熱モード及び加熱を停止し加熱開始キーを操作すると前記加熱モードに移行する制御モードである待機モードを有し、前記加熱モードで動作中に前記焦げ付き情報が出力されると前記待機モードに移行する制御部とを備えた誘導加熱調理機器の制御方法であって、
前記制御部は、前記出力設定部により所定の第１出力設定範囲内の出力が選択されるときに、前記加熱モードで動作するように制御し、前記焦げ付き検知部は、前記赤外線センサからの出力電圧値が所定の第１出力電圧値以上に増加したことを検知するときに、前記鍋底に前記調理物が焦げ付いたことを検知する前記焦げ付き検知動作を行うステップと、
前記制御部は、前記出力設定部により前記第１出力設定範囲より大きい第２出力設定範囲内の出力が選択されるときに、前記加熱モードで動作するように制御し、前記焦げ付き検知部は、前記赤外線センサからの出力電圧値が前記第１出力電圧値より大きい所定の第２出力電圧値以上に増加したことを検知するときに、前記鍋底に前記調理物が焦げ付いたことを検知する前記焦げ付き検知動作を行うステップとを含むことを特徴とする。
【発明の効果】
【０００８】
従って、本発明にかかる誘導加熱調理機器およびその制御方法によれば、赤外線センサを用いて焦げ付き検知動作を行うことにより、誤検知が起きる機会を減らしつつ焦げ付き検知機能を感度良く働かせ、焦げ付きの状態が悪化するのを防止すると共に不必要に加熱を停止することを防止し、違和感なく調理を継続することができる。
【０００９】
また、本発明にかかる誘導加熱調理機器およびその制御方法は、使用者が設定した出力設定値に適した焦げ付きの検知する温度を自動で判別するため、利用者が、調理モードを選択することなく、焦げ付き検知機能を使用することができる。
【図面の簡単な説明】
【００１０】
【図１】本発明の実施の形態１にかかる誘導加熱調理機器の構成を示す斜視図である。
【図２】本発明の実施の形態１にかかる誘導加熱調理機器の第１の加熱部４の構成を示すブロック図である。
【図３】本発明の実施の形態１にかかる誘導加熱調理機器のフローチャートである。
【図４】本発明の実施の形態２にかかる誘導加熱調理機器のフローチャートである。
【発明を実施するための形態】
【００１１】
第１の発明にかかる誘導加熱調理機器は、鍋を載置するトッププレートと、前記トッププレートの下に設けられ前記鍋を加熱する誘導加熱コイルを含むインバータと、前記トッププレートの下に設けられ、前記鍋の底から放射されて前記トッププレートを透過した赤外線を検知して前記鍋の鍋底温度に対応する出力電圧値を出力する赤外線センサと、前記赤外線センサからの出力電圧値に基づき、前記鍋底に調理物が焦げ付いたことを検知する焦げ付き検知動作を行い、前記鍋底に前記調理物が焦げ付いたことを検知すると焦げ付き情報を出力する焦げ付き検知部と、複数の出力設定値の中から、１つの前記出力設定値を選択するための出力設定部と、前記誘導加熱コイルに高周波電流を供給しかつ加熱出力が前記出力設定値となるように前記インバータの加熱動作を制御すると共に前記出力設定部により前記出力設定値が変更可能な制御モードである加熱モード及び加熱を停止し加熱開始キーを操作すると前記加熱モードに移行する制御モードである待機モードを有し、前記加熱モードで動作中に前記焦げ付き情報が出力されると前記待機モードに移行する制御部とを備えた誘導加熱調理機器であって、前記制御部は、前記出力設定部により所定の第１出力設定範囲内の出力が選択されるときに、前記加熱モードで動作するように制御し、前記焦げ付き検知部は、前記赤外線センサからの出力電圧値が所定の第１出力電圧値以上に増加したことを検知するときに、前記鍋底に前記調理物が焦げ付いたことを検知する前記焦げ付き検知動作を行い、また、前記制御部は、前記出力設定部により前記第１出力設定範囲より大きい第２出力設定範囲内の出力が選択されるときに、前記加熱モードで動作するように制御し、前記焦げ付き検知部は、前記赤外線センサからの出力電圧値が前記第１出力電圧値より大きい所定の第２出力電圧値以上に増加したことを検知するときに、前記鍋底に前記調理物が焦げ付いたことを検知する前記焦げ付き検知動作を行う。これにより、赤外線センサを用いて焦げ付き検知動作を行うことにより、誤検知が起きる機会を減らしつつ焦げ付き検知機能を感度良く働かせ、焦げ付きの状態が悪化するのを防止すると共に不必要に加熱を停止することを防止し、違和感なく調理を継続することができる。また、出力設定範囲に対応した焦げ付き検知動作を行うことで、利用者が設定した出力設定値に適した焦げ付きの検知する温度を自動で判別するため、利用者が、調理モードを選択することなく、焦げ付き検知機能を使用することができる。
【００１２】
第２の発明にかかる誘導加熱調理機器は、特に、第１の発明にかかる誘導加熱調理機器において、前記制御部は、前記出力設定部により前記第２出力設定範囲より大きい第３出力設定範囲内の出力が選択されるときに、前記加熱モードで動作するように制御し、前記焦げ付き検知部は、前記鍋底に調理物が焦げ付いたことを検知する焦げ付き検知動作を禁止するように制御する。これにより、炒め物やあえて焦げをつけたい加熱調理などの高出力調理時に、不必要に加熱動作を停止するなどの誤検知を避けることができ、利用者が、違和感なく調理を継続することができる。
【００１３】
第３の発明にかかる誘導加熱調理機器の制御方法は、
鍋を載置するトッププレートと、
前記トッププレートの下に設けられ前記鍋を加熱する誘導加熱コイルを含むインバータと、
前記トッププレートの下に設けられ前記鍋の底から放射され前記トッププレートを透過する赤外線を検知して前記鍋の鍋底温度に対応する出力電圧値を出力する赤外線センサと、
前記赤外線センサからの出力電圧値に基づき、前記鍋底に調理物が焦げ付いたことを検知する焦げ付き検知動作を行い、前記鍋底に前記調理物が焦げ付いたことを検知すると焦げ付き情報を出力する焦げ付き検知部と、
複数の出力設定値の中から１つの出力設定値を選択するための出力設定部と、
前記誘導加熱コイルに高周波電流を供給しかつ加熱出力が前記出力設定値となるように前記インバータの加熱動作を制御すると共に前記出力設定部により前記出力設定値が変更可能な制御モードである加熱モード及び加熱を停止し加熱開始キーを操作すると前記加熱モードに移行する制御モードである待機モードを有し、前記加熱モードで動作中に前記焦げ付き情報が出力されると前記待機モードに移行する制御部とを備えた誘導加熱調理機器の制御方法であって、
前記制御部は、前記出力設定部により所定の第１出力設定範囲内の出力が選択されるときに、前記加熱モードで動作するように制御し、前記焦げ付き検知部は、前記赤外線センサからの出力電圧値が所定の第１出力電圧値以上に増加したことを検知するときに、前記鍋底に前記調理物が焦げ付いたことを検知する前記焦げ付き検知動作を行うステップと、
前記制御部は、前記出力設定部により前記第１出力設定範囲より大きい第２出力設定範囲内の出力が選択されるときに、前記加熱モードで動作するように制御し、前記焦げ付き検知部は、前記赤外線センサからの出力電圧値が前記第１出力電圧値より大きい所定の第２出力電圧値以上に増加したことを検知するときに、前記鍋底に前記調理物が焦げ付いたことを検知する前記焦げ付き検知動作を行うステップとを含む。
【００１４】
第４の発明にかかる誘導加熱調理機器の制御方法は、特に、第３の発明にかかる誘導加熱調理機器の制御方法において、前記制御部は、前記出力設定部により前記第２出力設定範囲より大きい第３出力設定範囲内の出力が選択されるときに、前記加熱モードで動作するように制御し、前記焦げ付き検知部は、前記鍋底に調理物が焦げ付いたことを前記検知する焦げ付き検知動作を禁止するように制御するステップをさらに含む。
【００１５】
以下、本発明にかかる実施の形態について、図面を参照しながら説明する。なお、この実施の形態によって本発明が限定されるものではない。
【００１６】
（実施の形態１）
図１は、本発明の実施の形態１にかかる誘導加熱調理機器の構成を示す斜視図である。
【００１７】
図１において、外郭ケース１の上部にトッププレート２が設けられている。トッププレート２上面には誘導加熱により鍋などの調理容器３を加熱する第１の加熱部４、第２の加熱部５および第３の加熱部６をそれぞれ示す表示が設けられている。さらに、魚等を焼くロースター７、および熱源の操作をする操作部８が外郭ケース１の側面に設けられている。
【００１８】
以上のように構成された誘導加熱調理機器について、図２を参照して、加熱部の構成を説明する。
【００１９】
図２は、本発明の実施の形態１にかかる誘導加熱調理機器の第１の加熱部４の構成を示すブロック図である。
【００２０】
図２において、トッププレート２の上面に設けられた第１の加熱部４を示す表示の位置に合わせて調理容器３が載置される。トッププレート２の下方には誘導加熱コイル９が設けられている。さらに、誘導加熱コイル９の下方には誘導加熱コイル９を制御するインバータ１０とインバータ１０を動作させるための制御部１１が設けられている。
【００２１】
出力設定部１２により、出力設定値が設定されると、制御部１１は誘導加熱コイル９に高周波電流を供給し、かつ、加熱出力が出力設定値となるようにインバータ１０の加熱動作を制御する。
【００２２】
赤外線センサ１３は、トッププレート２の下に設けられ、調理容器３の鍋底から放射されトッププレート２を透過する赤外線を検知して、調理容器３の鍋底温度に対応する出力電圧値を出力する。調理容器３の鍋底に調理物が焦げ付いたことを検知すると焦げ付き情報を出力する焦げ付き検知部１４と、複数の出力設定値の中から、１つの出力設定値を選択するための出力設定部１２と、誘導加熱コイル９に高周波電流を供給し、かつ、加熱出力が出力設定値となるようにインバータ１０の加熱動作を制御すると共に、出力設定部１２により出力設定値が変更可能な制御モードである加熱モード及び加熱を停止し加熱開始キーを操作すると加熱モードに移行する制御モードである待機モードを有し、加熱モードで動作中に焦げ付き情報が出力されると待機モードに移行する制御部１１とで構成している。
【００２３】
制御部１１は、出力設定部１２で、第１出力設定範囲内の出力が選択されて加熱モードで動作すると、焦げ付き検知部１４は、出力電圧値が第１出力電圧値Ｖ１以上に増加したことを検知すると、鍋底に調理物が焦げ付いたことを検知する焦げ付き検知動作を行う。
【００２４】
また、制御部１１は、出力設定部１２により所定の第１出力設定範囲より大きい第２出力設定範囲内の出力が選択されるときに、加熱モードで動作するように制御し、焦げ付き検知部１４は、出力電圧値Ｖが第１出力電圧値Ｖ１より大きい第２出力電圧値Ｖ２以上に増加したことを検知すると鍋底に調理物が焦げ付いたことを検知する焦げ付き検知動作を行う。
【００２５】
以上のように構成された誘導加熱調理機器について、図３を参照して、動作および作用について説明する。
【００２６】
図３は、本発明の実施の形態１にかかる誘導加熱調理器のフローチャートである。
【００２７】
まず、図３において、ステップ１（Ｓ１）にて、操作部８にある加熱開始キーをオンするとステップ２（Ｓ２）にて、加熱が開始される。
【００２８】
ステップ３（Ｓ３）にて、制御部１１は、出力設定部１２で設定された出力が、第１出力設定範囲内の設定出力であった場合、ステップ４（Ｓ４）に移行する。
【００２９】
ステップ４（Ｓ４）にて、制御部１１に出力された、赤外線センサ１３によって検知された調理容器３の鍋底温度が、予め設定された鍋底温度に対応する第１出力電圧値Ｖ１以上であった場合、ステップ５（Ｓ５）にて、焦げ付き検知部１４は、焦げ付き情報を制御部１１に出力する。次いで、制御部１１は、ステップ６（Ｓ６）にて焦げ付き情報に基づき、加熱停止を行う。
【００３０】
一方、ステップ３（Ｓ３）にて、出力設定部１２が第１出力設定範囲より大きい第２出力設定範囲の設定出力であった場合、ステップ７（Ｓ７）に移行する。
【００３１】
ステップ７（Ｓ７）にて、赤外線センサ１３によって検知されて制御部１１に出力された調理容器３の鍋底温度が、予め設定された鍋底温度に対応しかつ第１出力電圧値Ｖ１より大きい第２出力電圧値Ｖ２以上であった場合、ステップ８（Ｓ８）にて、焦げ付き検知部１４は、焦げ付き情報を制御部１１に出力する。
【００３２】
制御部１１は、ステップ９（Ｓ９）にて焦げ付き情報に基づき、加熱停止を行う。
【００３３】
例えば、出力設定部１２の第１出力設定範囲が３７０Ｗ相当の出力設定以下で、第２出力設定範囲が３７０Ｗ相当より大きい出力設定で、第１出力電圧値Ｖ１が赤外線センサ１３によって検知された調理容器３の鍋底温度が１３０℃に対応する出力電圧値で、第２出力電圧値Ｖ２が赤外線センサ１３によって検知された調理容器３の鍋底温度が１７０℃に対応する出力電圧値に、それぞれ設定したとする。そして、利用者が出力設定部１２で３７０Ｗ相当（第１出力設定範囲内）の出力を設定したとする。この場合には、焦げ付き情報を有効にし、その後調理容器３の鍋底温度が、１３０℃（第１出力電圧値Ｖ１）になると、ステップ５（Ｓ５）で焦げ付き情報を出力し、制御部１１は待機モードとなり加熱を停止して終了する。
【００３４】
一方、利用者が出力設定部１２で１０００Ｗ相当（第２出力設定範囲内）の出力を設定したとする。この場合には、焦げ付き情報を有効にし、その後調理容器３の鍋底温度が、１７０℃になると、焦げ付き情報を出力し、制御部１１は待機モードとなり加熱を停止して終了する。
【００３５】
以上のように、本実施の形態においては、赤外線センサを用いて焦げ付き検知動作を行い、かつ出力設定部１２にて設定された出力設定範囲に対応した焦げ付き検知を行うことにより、加熱モードにおいても、誤検知が起きる機会を減らしつつ焦げ付き検知機能を感度良く働かせ、焦げ付きの状態が悪化するのを防止すると共に不必要に加熱を停止することを防止し違和感なく調理を継続することができる。
【００３６】
また、本実施の形態の制御部１１と焦げ付き検知部１４はマイクロコンピュータで構成することにより、簡単な構成にすることができる。
【００３７】
（実施の形態２）
図４は、本発明の実施の形態２にかかる誘導加熱調理機器のフローチャートである。
【００３８】
図４のフローチャートは、図３のフローチャートに比較して、ステップ２０（Ｓ２０）およびステップ２１（Ｓ２１）をさらに備えたことを特徴としている。ここで、実施の形態１と同様の部分については説明を省略し、異なる部分について説明する。
【００３９】
まず、図４において、ステップ２０（Ｓ２０）にて、出力設定部１２が第２出力設定範囲より大きい第３出力設定範囲の設定出力であった場合、ステップ２１（Ｓ２１）に移行する。ステップ２１（Ｓ２１）にて、焦げ付き検知部１４からの焦げ付き情報に基づかず、出力制御を行う。すなわち、焦げ付き検知動作を禁止して行わない。そして、終了する（すなわち、加熱動作を継続する）。
【００４０】
例えば、出力設定部１２の第２出力設定範囲が３７０Ｗ相当の出力設定より大きくかつ２０００Ｗ相当の出力設定未満で、第３出力設定範囲が２０００Ｗ相当以上の出力設定とする。そして、利用者が、出力設定部１２で、２０００Ｗ相当（第３出力設定範囲内）の出力を設定したとする。この場合には、制御部１１は、炒め物や湯沸しなどの高出力調理を始めたと判定し、焦げ付き情報を無効にし、すなわち、焦げ付き情報に基づかず、加熱調理を継続する。
【００４１】
一方、利用者が、出力設定部６で、２０００Ｗ相当の出力未満を設定したとする。制御部１１は、利用者が、一般に焦げ付きが懸念される調理を始めたと判定し、焦げ付き情報と出力情報に基づき、調理を継続する。
【００４２】
以上のように、本実施の形態においては、出力設定部６にて設定された出力により、低出力調理時に焦げ付き情報を有効にし、かつ、高出力調理時に、無効にすることにより、焦げ付き検知の誤検知を避けることができ、利用者が、調理モードを選択しなくても違和感なく調理を継続することができる。
【産業上の利用可能性】
【００４３】
以上のように、本発明にかかる誘導加熱調理機器は、利用者が選択した出力設定範囲によって、焦げ付き検知が利用者にとって必要か不必要かを判別することにより、焦げ付き検知が不必要に働く機会を低減し、調理物の焦げ付きの状態が悪化するのを防止しつつ調理を行うことが可能となるので、組み込み式誘導加熱調理機器、卓上で使用される誘導加熱調理機器、据え置き式の誘導加熱調理機器などの使用形態、あるいは業務用、家庭用などの使用目的にかかわらずあらゆる種類の誘導加熱調理器全般の用途に有効である。
【符号の説明】
【００４４】
２  トッププレート
３  調理容器（鍋）
９  誘導加熱コイル
１０  インバータ
１１  制御部
１２  出力設定部
１３  赤外線センサ
１４  焦げ付き検知部
【手続補正２】
【補正対象書類名】特許請求の範囲
【補正対象項目名】全文
【補正方法】変更
【補正の内容】
【特許請求の範囲】
【請求項１】
鍋を載置するトッププレートと、
前記トッププレートの下に設けられ前記鍋を加熱する誘導加熱コイルを含むインバータと、
前記トッププレートの下に設けられ、前記鍋の底から放射されて前記トッププレートを透過した赤外線を検知して前記鍋の鍋底温度に対応する出力電圧値を出力する赤外線センサと、
前記赤外線センサからの出力電圧値に基づき、前記鍋底に調理物が焦げ付いたことを検知する焦げ付き検知動作を行い、前記鍋底に前記調理物が焦げ付いたことを検知すると焦げ付き情報を出力する焦げ付き検知部と、
複数の出力設定値の中から１つの出力設定値を選択するための出力設定部と、
前記誘導加熱コイルに高周波電流を供給しかつ加熱出力が前記出力設定値となるように前記インバータの加熱動作を制御すると共に前記出力設定部により前記出力設定値が変更可能な制御モードである加熱モード及び加熱を停止し加熱開始キーを操作すると前記加熱モードに移行する制御モードである待機モードを有し、前記加熱モードで動作中に前記焦げ付き情報が出力されると前記待機モードに移行する制御部とを備えた誘導加熱調理機器であって、
前記制御部は、前記出力設定部により所定の第１出力設定範囲内の出力が選択されるときに、前記加熱モードで動作するように制御し、前記焦げ付き検知部は、前記赤外線センサからの出力電圧値が所定の第１出力電圧値以上に増加したことを検知するときに、前記鍋底に前記調理物が焦げ付いたことを検知する前記焦げ付き検知動作を行い、
また、前記制御部は、前記出力設定部により前記第１出力設定範囲より大きい第２出力設定範囲内の出力が選択されるときに、前記加熱モードで動作するように制御し、前記焦げ付き検知部は、前記赤外線センサからの出力電圧値が前記第１出力電圧値より大きい所定の第２出力電圧値以上に増加したことを検知するときに、前記鍋底に前記調理物が焦げ付いたことを検知する前記焦げ付き検知動作を行い、
さらに、前記制御部は、前記出力設定部により前記第２出力設定範囲より大きい第３出力設定範囲内の出力が選択されるときに、前記加熱モードで動作するように制御し、前記焦げ付き検知部は、前記鍋底に調理物が焦げ付いたことを前記検知する焦げ付き検知動作を禁止するように制御することを特徴とする誘導加熱調理機器。
【請求項２】
鍋を載置するトッププレートと、
前記トッププレートの下に設けられ前記鍋を加熱する誘導加熱コイルを含むインバータと、
前記トッププレートの下に設けられ、前記鍋の底から放射されて前記トッププレートを透過した赤外線を検知して前記鍋の鍋底温度に対応する出力電圧値を出力する赤外線センサと、
前記赤外線センサからの出力電圧値に基づき、前記鍋底に調理物が焦げ付いたことを検知する焦げ付き検知動作を行い、前記鍋底に前記調理物が焦げ付いたことを検知すると焦げ付き情報を出力する焦げ付き検知部と、
複数の出力設定値の中から１つの出力設定値を選択するための出力設定部と、
前記誘導加熱コイルに高周波電流を供給しかつ加熱出力が前記出力設定値となるように前記インバータの加熱動作を制御すると共に前記出力設定部により前記出力設定値が変更可能な制御モードである加熱モード及び加熱を停止し加熱開始キーを操作すると前記加熱モードに移行する制御モードである待機モードを有し、前記加熱モードで動作中に前記焦げ付き情報が出力されると前記待機モードに移行する制御部とを備えた誘導加熱調理機器の制御方法であって、
前記制御部は、前記出力設定部により所定の第１出力設定範囲内の出力が選択されるときに、前記加熱モードで動作するように制御し、前記焦げ付き検知部は、前記赤外線センサからの出力電圧値が所定の第１出力電圧値以上に増加したことを検知するときに、前記鍋底に前記調理物が焦げ付いたことを検知する前記焦げ付き検知動作を行うステップと、
前記制御部は、前記出力設定部により前記第１出力設定範囲より大きい第２出力設定範囲内の出力が選択されるときに、前記加熱モードで動作するように制御し、前記焦げ付き検知部は、前記赤外線センサからの出力電圧値が前記第１出力電圧値より大きい所定の第２出力電圧値以上に増加したことを検知するときに、前記鍋底に前記調理物が焦げ付いたことを検知する前記焦げ付き検知動作を行うステップと、
前記制御部は、前記出力設定部により前記第２出力設定範囲より大きい第３出力設定範囲内の出力が選択されるときに、前記加熱モードで動作するように制御し、前記焦げ付き検知部は、前記鍋底に調理物が焦げ付いたことを前記検知する焦げ付き検知動作を禁止するように制御するステップとを含むことを特徴とする誘導加熱調理機器の制御方法。
【手続補正３】
【補正対象書類名】図面
【補正対象項目名】全図
【補正方法】変更
【補正の内容】
【図１】
2011096213.tif 000007
【図２】
2011096213.tif 000008
【図３】
2011096213.tif 000009
【図４】
2011096213.tif 000010
【国際調査報告】
2011096213.tif 000011
2011096213.tif 000012
2011096213.tif 000013
2011096213.tif 000014